(57)【要約】【課題】電気的に安全で良好に微細なミストに霧化する。【解決手段】被洗浄物８を収容する洗浄槽４と、被洗浄物８に付着させる洗剤液を貯留する貯留部１７と、貯留部１７の洗剤液を微粒化する微粒化手段１６と、微粒化手段１６により微粒化した洗剤液を微細化する微細化手段２４と、微粒化手段１６で微粒化した洗剤液を微細化手段２４へ導くガイド部２５とを備え、前記微細化手段２４は、接地された筒状電極２７と前記筒状電極２７の中心軸部に配設した棒状電極２８を設けた放電部２６と、前記放電部２６に高電圧を印加する電源部２９とを有し、前記筒状電極２７は、その上流側開口部を前記ガイド部２５内に挿入して中空状に保持したものである。【選択図】図１
2007007138.tif 000002
【特許請求の範囲】
【請求項１】
被洗浄物を収容する洗浄槽と、前記被洗浄物に付着させる洗剤液を貯留する貯留部と、前記貯留部の洗剤液を微粒化する微粒化手段と、前記微粒化手段により微粒化した洗剤液を微細化する微細化手段と、前記微粒化手段で微粒化した洗剤液を微細化手段へ導くガイド部とを備え、前記微細化手段は、接地された筒状電極と前記筒状電極の中心軸部に配設した棒状電極を設けた放電部と、前記放電部に高電圧を印加する電源部とを有し、前記筒状電極は、その上流側開口部を前記ガイド部内に挿入して中空状に保持した洗浄装置。
【請求項２】
微細化手段は、筒状電極とガイド部内面の距離を、前記棒状電極と前記筒状電極の電極間距離よりも長く設定した請求項１記載の洗浄装置。
【請求項３】
ガイド部の内面に付着する液体の層を寸断する多数の突起部を設けた請求項１または２記載の洗浄装置。
【請求項４】
ガイド部の底面に水抜き孔を設けた請求項１〜３のいずれか１項に記載の洗浄装置。
【請求項５】
ガイド部の内面に撥水層を設けた請求項１〜４のいずれか１項に記載の洗浄装置。
【請求項６】
撥水層は、フッ素系コーティング処理により構成した請求項５記載の洗浄装置。
【請求項７】
微粒化手段で微粒化した洗剤液を微細化手段へ供給する送風ファンを設け、前記微粒化手段の作動前に前記送風ファンを動作させて放電部を乾燥させる構成とした請求項１〜６のいずれか１項に記載の洗浄装置。
【請求項８】
請求項１〜７のいずれか１項に記載の洗浄装置と、洗浄槽に給水する給水装置と、洗浄水を加圧する洗浄ポンプと、前記洗浄ポンプにより加圧された洗浄水を噴射する洗浄手段とを具備した食器洗い機。
【請求項９】
給水装置により給水された水道水で放電部を洗浄する構成とした請求項８に記載の食器洗い機。
【発明の詳細な説明】
【技術分野】
【０００１】
本発明は、汚れや付着物を除去する洗浄装置および同装置を備えた食器洗い機に関するものである。
【背景技術】
【０００２】
従来、食器等の洗浄を行う食器洗い機は、洗剤液を霧化して食器の表面に付着させることにより汚れを落としやすくしたものが考えられている（例えば、特許文献１参照）。図８は、前記公報に記載された食器洗い機の断面図を示すものである。図８に示すように、洗浄槽１の下部には、洗浄ポンプ２により加圧された洗浄水を食器等の被洗浄物３に噴射する洗浄手段４が設けられている。また、洗剤液飛散手段５が洗浄槽１の下部に備えられている。
【０００３】
以上のような構成において、以下その動作を説明する。まず、洗剤液飛散手段５に洗剤を投入し、高濃度の洗剤液になる所定量の水が給水される。次に、洗浄手段４による洗浄の前処理工程として、洗剤液飛散手段５より洗剤液をミスト化して洗浄槽１内に飛散させ、この高濃度の洗剤液を被洗浄物３に付着させる。そして、所定時間放置することで被洗浄物３に付着した洗剤液のミストが被洗浄物３に付着している汚れの内部へ浸透し、洗剤の界面活性作用により汚れをほぐして剥がれ易い状態にする。その後、本洗浄工程において、洗浄槽１内に水が給水され、洗浄ポンプ２で加圧された洗浄水が洗浄手段４より噴射され被洗浄物３を洗浄する。
【特許文献１】特開２００５−５２４７０号公報
【発明の開示】
【発明が解決しようとする課題】
【０００４】
ミストは、その粒径によって外界との内外圧差が変化し、粒径が小さいほど内外圧差は大きくなる。ミストが汚れに付着した場合、この内外圧差が大きいほど汚れの内部へ洗剤液が入り込む浸透力が高くなり、より汚れを剥がし易くする。しかしながら、従来の洗剤液飛散手段５は、微粒化する構成として一般的な超音波振動子によるもの、あるいは圧力スプレーによるものがあり、この構成によって発生するミストの粒径は３〜５０μｍであり、このときのミストと外界との内外圧差は約０．５ｋｇｆ／ｃｍ２である。この内外圧差では、種々の汚れを効果的に除去するには浸透力が不十分であるという課題があった。
【０００５】
また、ミストは粒径によって拡散速度が変化し、粒径が小さいほど拡散速度が速い。したがって、微細なミストほど洗浄槽１内の隅々まで行き渡りやすい。従来のミストの粒径３〜５０μｍでは、霧化しても沈降しやすく、拡散が不十分であるために、洗浄槽内の被洗浄物の設置形態、あるいは被洗浄物の形状によっては洗い残りが生じるという課題も有していた。
【０００６】
以上のような課題を解決し、さらに洗浄力を向上させるために、ミストの微細化は非常に重要な技術的課題である。微細なミストを発生する方式として、例えば静電霧化方式がある。これは、先端の尖った多孔質の棒状吸水体と水タンクから成り、吸水体の下部が水に浸漬した構成となっている。この吸水体に高電圧を印加すると毛細管現象で水が吸い上げられ、その先端部に達した水がレイリー分裂を起こして数十ｎｍオーダーの粒径のミストとなって霧化するものである。
【０００７】
しかし、このような静電霧化方式では多孔質の吸水体を通じて霧化するため、洗剤液を用いると目詰まりして霧化することができないという課題がある。また、水を用いても棒状吸水体に毛細管現象で吸い上げられ先端部に達した水のみが帯電して分裂し霧化するため、数十ｎｍオーダーの粒径の微細なミストを発生させることができるものの、霧化量は０．００８ｇ／ｍｉｎと極めて小さい。したがって、洗浄装置に搭載する霧化方式としては実用化は困難である。
【０００８】
さらに、このような水が介在する装置の中で高電圧を印加することは、電気絶縁性を確保する為の十分な技術的工夫が必要である。
【０００９】
本発明は、前記従来の課題を解決するもので、洗剤液を用いても電気的に安全で良好に微細なミストに霧化することができ、洗浄に必要十分な霧化量を実現して、被洗浄物の設置形態や形状の影響を受けず、種々の汚れを効率的に除去することができる洗浄装置を提供することを目的とする。
【課題を解決するための手段】
【００１０】
前記課題を解決するために、本発明の洗浄装置は、洗剤液を微粒化する微粒化手段と、前記微粒化手段により微粒化した洗剤液を微細化する微細化手段と、前記微粒化手段で微粒化した洗剤液を微細化手段へ導くガイド部とを備え、前記微細化手段は、接地された筒状電極と、前記筒状電極の中心軸部に配設した高電圧を印加する棒状電極を設けた放電部と電源部とを有し、前記筒状電極はその上流側開口部を前記ガイド部内に中空状に保持したものである。
【００１１】
これにより、洗剤液によってガイド部と筒状電極が短絡することを軽減し、電気的安全性を確保することができるとともに、放電部の小型化が図れる。
【発明の効果】
【００１２】
本発明の洗浄装置は、洗剤液を用いても電気的に安全で良好に微細なミストに霧化することができ、洗浄に必要な霧化量を実現して、被洗浄物の設置形態や形状の影響を受けることなく、汚れに対する浸透力を高めて種々の汚れを効率的に除去することができる。
【発明を実施するための最良の形態】
【００１３】
第１の発明は、被洗浄物を収容する洗浄槽と、前記被洗浄物に付着させる洗剤液を貯留する貯留部と、前記貯留部の洗剤液を微粒化する微粒化手段と、前記微粒化手段により微粒化した洗剤液を微細化する微細化手段と、前記微粒化手段で微粒化した洗剤液を微細化手段へ導くガイド部とを備え、前記微細化手段は、接地された筒状電極と前記筒状電極の中心軸部に配設した棒状電極を設けた放電部と、前記放電部に高電圧を印加する電源部とを有し、前記筒状電極は、その上流側開口部を前記ガイド部内に挿入して中空状に保持したことにより、微細化手段によってさらに数１０〜数１００ｎｍに微細化されるため、従来に比べ数１０〜数１００倍の内外圧差を有し、ミストの粒子個数も１０万〜１００万倍に増える。また、拡散速度も向上する。したがって、被洗浄物の設置形態や形状の影響を受けず、種々の汚れを効率的に除去することができる。さらに、洗剤液を用いても良好に微細なミストに霧化することができると共に、微粒化手段の霧化能力に応じて洗浄に必要な霧化量を確保することができる。
【００１４】
また、高電圧となる棒状電極がガイド部で保持された構成においては、微粒化手段で霧化された洗剤液でガイド部内面が濡れることによって高電圧状態となるが、筒状電極がガイド部内に中空状に保持されていることによって、洗剤液によってガイド部と筒状電極がつながり短絡することを軽減し、電気的安全性を確保することができる。また、放電部寸法の小型化も図ることができる。
【００１５】
第２の発明は、特に、第１の発明の微細化手段は、筒状電極とガイド部内面の距離を、前記棒状電極と前記筒状電極の電極間距離よりも長く設定したことにより、ガイド部内面が洗剤液で濡れて高電圧状態となっても、放電部における棒状電極と筒状電極の電極間距離の方が短いので、放電部で優先して放電が起こる為、ガイド部と筒状電極間で放電して過電流が流れることを防止することができる。
【００１６】
第３の発明は、特に、第１または第２の発明のガイド部の内面に付着する液体の層を寸断する多数の突起部を設けたことにより、ガイド部内面が洗剤液で濡れても連続的につながらなくなるので、ガイド部内面が高電圧状態になることを軽減し、ガイド部と筒状電極間で放電して過電流が流れることをさらに防止することができる。
【００１７】
第４の発明は、特に、第１〜第３のいずれか１つの発明のガイド部の底面に水抜き孔を設けたことにより、ガイド部内面が洗剤液で濡れても水抜き孔からガイド部外へ洗剤液が排出される為、洗剤液で連続的につながらなくなるので、ガイド部内面が高電圧状態になることを軽減し、ガイド部と筒状電極間で放電して過電流が流れることをさらに防止することができる。
【００１８】
第５の発明は、特に、第１〜第４のいずれか１つの発明のガイド部の内面に撥水層を設けたことにより、ガイド部内面で洗剤液は濡れ広がらずに液滴状に付着するようになる為、洗剤液で連続的につながらなくなるので、ガイド部内面が高電圧状態になることを軽減し、ガイド部と筒状電極間で放電して過電流が流れることをさらに防止することができる。
【００１９】
第６の発明は、特に、第５の発明の撥水層は、フッ素系コーティング処理により構成したことにより、撥水性を向上することができるため、過電流が流れることをさらに防止することができる。
【００２０】
第７の発明は、特に、第１〜第６のいずれか１つの発明において、微粒化手段で微粒化した洗剤液を微細化手段へ供給する送風ファンを設け、前記微粒化手段の作動前に前記送風ファンを動作させて放電部を乾燥させる構成としたことにより、微細化手段で放電開始時にガイド部内面に付着している洗剤液量を低減することができ、ガイド部内面が高電圧状態になることを軽減し、ガイド部と筒状電極間で放電して過電流が流れることをさらに防止することができる。
【００２１】
第８の発明は、請求項１〜７のいずれか１項に記載の洗浄装置と、洗浄槽に給水する給水装置と、洗浄水を加圧する洗浄ポンプと、前記洗浄ポンプにより加圧された洗浄水を噴射する洗浄手段とを具備した食器洗い機であり、電気的に安全で食器の設置形態や形状の影響を受けることなく、汚れに対する浸透力を高めて種々の汚れを効率的に洗浄することができる。
【００２２】
第９の発明は、特に、第８の発明の給水装置により給水された水道水で放電部を洗浄する構成としたことにより、導電率の高い洗剤液を放電部から除去することができるため、ガイド部と筒状電極間で放電して過電流が流れることをさらに防止することができる。また、放電が起こる棒状電極及び筒状電極の表面をクリーニングするので、安定した放電で微細化を行うことができる。
【００２３】
以下、本発明の実施の形態について、図面を参照しながら説明する。なお、この実施の形態によって本発明が限定されるものではない。
【００２４】
（実施の形態１）
図１は、本発明の第１の実施の形態における洗浄装置を備えた食器洗い機の断面図、図２は、同食器洗い機の要部断面図、図３は、同食器洗い機の微細化手段の斜視図、図４は、同微細化手段の断面図、図５は、同微細化手段の底部の拡大断面図である。
【００２５】
図１〜図５において、食器洗い機の本体１は、前方に開口部２を設け、前記開口部２を上下に開く複数の蓋体３により閉塞可能に構成している。そして、洗浄槽４の下方に洗浄ポンプ５により加圧した洗浄水を噴射する噴射口６を有する洗浄ノズル（洗浄手段）７を設けている。洗浄ノズル７の上方には食器等の被洗浄物８を収納する食器かご９を設けている。洗浄槽４の底部に洗浄水を貯留する貯留部１０が設けてあり、貯留した洗浄水を加熱するヒータ（加熱手段）１１を配置している。
【００２６】
食器かご９の下部にローラ１２を配置するとともに、洗浄槽４の内側壁にガイドレール１３を配置してあり、食器かご９は本体１に対して略水平方向へ移動可能に設けてあり、蓋体３を開くと開口部２から下方に開いた蓋体３上へ引き出し可能に構成している。１４は洗浄槽４に洗浄水を供給するための給水弁、１５は下方に開く蓋体３の内部に設けられたマイクロプロセッサ等を含む制御手段で、洗浄ポンプ５やヒータ１１等を制御する。
【００２７】
微粒化手段１６は、貯留部１７に貯留した洗剤液を霧化する霧化装置１８により構成されており、洗剤液を微粒化する超音波振動子１９を備えている。霧化装置１８は、容器２０内に液体（不凍液）を封入し、容器２０内の下部に配置した超音波振動子１９の振動を液体を介して振動面２１に伝達し、貯留部１７に貯留した洗剤液を隆起させて水柱２２を形成して霧化し、洗剤液を微粒化する。超音波振動子１９は容器２０内に設けられて汚れが付着しないように保護されるとともに、容器２０の振動面２１は貯留部１７に貯留した洗剤液に浸漬するように設けられている。
【００２８】
貯留部１７の上部に微粒化手段１６で微粒化した洗剤液のミストを微細化する微細化手段２４を設けている。微細化手段２４は微粒化手段１６で微粒化したミストをさらに微細化するもので、微粒化手段１６で微粒化したミストは、微細化手段２４の一部である空洞状のガイド部２５の中を通って誘導されるようになっている。
【００２９】
微細化手段２４は放電部２６を有している。放電部２６は、ステンレス等の金属材料からなる筒状電極２７と、この筒状電極２７の内側中心軸部に配設したタングステンからなる棒状電極２８とから構成されている。筒状電極２７は、その上流側開口部を例えば樹脂等の電気絶縁物で形成されているガイド部２５内に挿入して中空状に保持されている。また、棒状電極２８はガイド部２５の底面で保持されている。ここで、筒状電極２７とガイド部２５内面の距離ｂは、棒状電極２８と筒状電極２７間の距離ａよりも長く設定されている。
【００３０】
また、棒状電極２８は、高電圧を印加する電源部２９と導電体３０によって電気的に接続されており、筒状電極２７は導電体３０によって接地されている。ガイド部２５の底面には、一面に渡って、高さ２〜５ｍｍの多数の突起部が設けられており、洗剤液がガイド部２５の底部に溜まって形成する洗剤液の液層を寸断する。ガイド部２５から筒状電極２７に入ったミストは、開放された筒状電極２７の出口から一層微細化されて洗浄槽４内へ飛散する。
【００３１】
以上のように構成された洗浄装置と、この洗浄装置を備えた食器洗い機について、以下その動作、作用を説明する。まず、微粒化手段１６の貯留部１７に洗剤を投入した後、給水弁１４を介して水道水が供給され、貯留部１７に高濃度の洗剤液が溜められる。この洗剤液の濃度と量は洗浄する対象物やその量に応じて設定することが可能である。
【００３２】
次に、微粒化手段１６に電圧が印加されると超音波振動子１９は一定の周波数で縦方向に振動し、この振動エネルギによって貯留された洗剤液の水面から水柱２２が立ち、約３ｇ／ｍｉｎの霧化量でミストを発生する。このときのミストの粒径は２〜５μｍとなっている。そして、このミストは矢印Ａのように微細化手段２４のガイド部２５の中を通って放電部２６に流入する。
【００３３】
放電部２６において、棒状電極２８に＋５ｋＶの高電圧が印加されると、電極周辺は高電界状態なり、流入した洗剤液のミストに電荷が帯電する。この帯電量がミストの表面張力を超えると分裂し、数１０ｎｍ〜数１００ｎｍの粒径に微細化される。放電部２６で帯電し、レイリー限界を超えたミストは分裂して矢印Ｂのように放電部２６の開口部から放出するが、レイリー限界以下の電荷を帯電したミストはクーロン力が働き、接地されている筒状電極２７へ移動して付着する。このため霧化量は４０％程度減少するが、この減少を考慮しても放電部２６から約２ｇ／ｍｉｎの霧化量で微細ミストを放出できる為、食器等の洗浄に必要かつ十分な霧化量を確保することができる。
【００３４】
ここで、微粒化手段１６で発生した洗剤液のミストによってガイド部２５の内側表面は濡れる。しかしながら、筒状電極２７は、その上流側開口部を前記ガイド部２５内に挿入して中空状に保持しているため、洗剤液によってガイド部２５と筒状電極２７がつながり短絡することを軽減することができる。
【００３５】
また、筒状電極２７とガイド部２５内面の距離Ｌ１は、棒状電極２８と筒状電極２７間の距離Ｌ２よりも長く設定されているため、ガイド部２５と筒状電極２７間の電気抵抗は棒状電極２８と筒状電極２７間よりも大きい為、放電部２６で優先して放電が起こる為、ガイド部２５と筒状電極間２７で放電して過電流が流れることを防止することができる。
【００３６】
さらに、ガイド部２５の底面には、一面に渡って、高さ２〜５ｍｍの多数の突起部が設けられており、洗剤液がガイド部２５の底部に溜まって形成する洗剤液の液層を寸断し、ガイド部２５内面が高電圧状態になることを軽減し、ガイド部２５と筒状電極２８間で放電して過電流が流れることをさらに防止することができる。
【００３７】
こうして、放電部２５で微細化された洗剤液のミストは洗浄槽４内へ拡散する。このとき、ミストの粒径は数１０ｎｍ〜数１００ｎｍの微細ミストとなっている為、洗浄槽４内の隅々まで拡散し、設置場所に依らず洗浄槽４内に収容された被洗浄物８に微細な洗剤液のミストを付着することができる。そして、被洗浄物８の汚れに付着したミストは、外界との内外圧差が約３０ｋｇｆ／ｃｍ２にも及ぶため、従来の約６０倍の浸透力が得られることとなり、種々の汚れに対して内部へ浸透し、洗剤の界面活性作用との相乗効果によって、汚れをよりはがれ易い状態にすることができる。
【００３８】
そして、上記の微細な洗剤液のミストを所定時間飛散させた後、または、微細な洗剤液のミストを被洗浄物８に付着させた状態で所定時間経過した後、被洗浄物８の汚れがはがれ易い状態になった後、洗浄ノズル７から所定の洗剤濃度に設定された洗浄液が噴射され、被洗浄物８を高圧洗浄する。その後、給水弁１４から給水された水道水が洗浄ノズル７から噴射され、被洗浄物８をすすぎ、乾燥して一連の洗浄工程を完了する。
【００３９】
以上のように、本実施の形態においては、被洗浄物８を収容する洗浄槽４と、被洗浄物８に付着させる洗剤液を貯留する貯留部１７と、貯留部１７の洗剤液を微粒化する微粒化手段１６と、微粒化手段１６により微粒化した洗剤液を微細化する微細化手段２４と、微粒化手段２４で微粒化した洗剤液を微細化手段２４へ導くガイド部２５とを備え、微細化手段２４は、接地された筒状電極２７と、筒状電極２７の中心軸部に配設した高電圧を印加する棒状電極２８を設けた放電部２６と電源部２９とを有し、筒状電極２７はその上流側開口部をガイド部２５内に中空状に保持したことにより、洗剤液を用いても電気的に安全で良好に微細なミストに霧化することができ、洗浄に必要な霧化量を実現して、被洗浄物８に付着している汚れを浮き上がらせて洗浄することにより、被洗浄物の設置形態や形状の影響を受けることなく、汚れに対する浸透力を高めて種々の汚れを効率的に除去することができる。
【００４０】
（実施の形態２）
図６は、本発明の第２の実施の形態における洗浄装置を備えた食器洗い機の断面図、図７は、微細化手段の断面図を示すものである。図５および図６において、微粒化手段１６の洗剤液を貯留する貯留部１７の上部には、微細化手段２４へ風を送る送風ファン３２を設けている。また、ガイド部２５の内面にはフッ素系コーティング処理膜等からなる撥水層３３が設けられている。また、ガイド部２５の底部には、水抜き孔３４が設けられている。他の構成は実施の形態１と同じであり、説明は省略する。
【００４１】
以上のように構成された洗浄装置と、この洗浄装置を備えた食器洗い機について、以下その動作、作用を説明する。まず、送風ファン３２を一定時間運転させ、微細化手段２４の放電部２６内へ風を送り、ガイド部２５の内側表面を乾燥させる。その後、微粒化手段１６及び微細化手段２４を作動させ、洗剤液の微細ミストを洗浄槽４内へ飛散させる。このとき、ガイド部２５は予め乾燥させているので、ミスト噴霧工程の数分間では極端にガイド部２５が洗剤液で濡れるのを軽減するため、ガイド部２５と筒状電極２８間で放電して過電流が流れることを防止することができる。
【００４２】
また、ガイド部２５内面には撥水機能を有したフッ素系コーティング処理膜等の撥水層３３が施されているので、表面が洗剤液で濡れ広がって連続的につながることを防止する。また、水抜き孔３４が設けられているので、洗剤液は水抜き孔３４から微細化手段１６の外部へ流出するため、さらに表面が洗剤液で濡れ広がって連続的につながることを防止し、ガイド部２５と筒状電極２８間で放電して過電流が流れることを防ぐことができる。
【００４３】
ミスト噴霧工程後、被洗浄物８の汚れを浮き上がらせ、洗浄手段７によって洗浄した後、洗剤液は排水され給水装置３５にて水道水が貯留部１７へ給水される。給水が完了した後、洗浄手段によって被洗浄物８をすすぎ洗いする。この時、微粒化手段１６と送風ファン３２を作動させることで、水道水のミストで放電部２６をすすぎ洗いして放電部２６の電極やガイド部２５に付着した洗剤を除去する。このときの排水は水抜き孔３４から貯留部１７へと送られる。これによって、導電率の高い洗剤液を放電部２６から除去することができるため、ガイド部２５と筒状電極２７間で放電して過電流が流れることをさらに防止することができる。また、放電が起こる棒状電極２８及び筒状電極２７の表面をクリーニングするので、安定した放電で微細化を行うことができる。
【００４４】
以上のように、本実施の形態においては、微細化手段２４のガイド部２５の底面に水抜き孔３４を設け、その表面に撥水機能を有した表面処理を施すと共に、給水された水道水で放電部２６を洗浄する構成としたことにより、ガイド部２５と筒状電極２７間で放電して過電流が流れることを防止し、放電が起こる棒状電極２８及び筒状電極２７の表面をクリーニングするので、安定した放電で微細化を行うことができる。
【産業上の利用可能性】
【００４５】
以上のように、本発明にかかる洗浄装置は、数１０〜数１００ｎｍオーダーの微細粒径の洗剤液のミストを電気的安全性を確保して機体内部に発生させて汚れを浮き上がらせて洗浄することによって、被洗浄物の種々の汚れを効果的に除去することができるので、トワレ、洗濯機等の用途にも適用できる。
【図面の簡単な説明】
【００４６】
【図１】本発明の第１の実施の形態における洗浄装置を備えた食器洗い機の断面図
【図２】同食器洗い機の要部断面図
【図３】同食器洗い機の微細化手段の斜視図
【図４】同食器洗い機の微細化手段の断面図
【図５】同食器洗い機の微細化手段の底部の拡大断面図
【図６】本発明の第２の実施の形態における洗浄装置を備えた食器洗い機の要部断面図
【図７】同食器洗い機の微細化手段の断面図
【図８】従来の食器洗い機の断面図
【符号の説明】
【００４７】
４  洗浄槽
５  洗浄ポンプ
７  洗浄ノズル（洗浄手段）
８  被洗浄物
１６  微粒化手段
１７  貯留部
２４  微細化手段
２５  ガイド部
２６  放電部
２７  筒状電極
２８  棒状電極
２９  電源部
【図１】
2007007138.tif 000003
【図２】
2007007138.tif 000004
【図３】
2007007138.tif 000005
【図４】
2007007138.tif 000006
【図５】
2007007138.tif 000007
【図６】
2007007138.tif 000008
【図７】
2007007138.tif 000009
【図８】
2007007138.tif 000010